(57)【要約】【課題】押し出される内容物が勢いよく出て飛び散ることを、簡素な構成で防止する。【解決手段】折り曲げによって開く開口予定部５１を有し、一対の収容部３１に収容された内容物Ｘを開口予定部５１から押し出す折り曲げ開封包装体１１において、収容部３１と開口予定部５１の間に、内容物Ｘを開口予定部５１に向けて導く導出部４１を形成する。導出部４１の始端側部位には、収容部３１よりも幅狭の隘路部４２を形成し、導出部４１の終端側部位には、隘路部４２よりも幅広で開口予定部５１に対向する開口室部４３を形成して、押し出される内容物Ｘの圧力を一旦解放する。【選択図】図１
2019199282.tif 000002
【特許請求の範囲】
【請求項１】
折り曲げによって開く開口予定部を有し、収容部に収容された内容物を前記開口予定部から押し出す折り曲げ開封包装体であって、
前記収容部と前記開口予定部の間に、前記内容物を前記開口予定部に向けて導く導出部が形成され、
前記導出部の始端側部位に、前記収容部よりも幅狭の隘路部が形成され、
前記導出部の終端側部位に、前記隘路部よりも幅広で前記開口予定部に対向する開口室が形成された
折り曲げ開封包装体。
【請求項２】
前記開口予定部が前記隘路部よりも幅広である
請求項１に記載の折り曲げ開封包装体。
【請求項３】
前記収容部が前記開口予定部を挟んで対向配置されるとともに、
前記隘路部が前記収容部の対向方向で対向している
請求項１または請求項２に記載の折り曲げ開封包装体。
【請求項４】
前記収容部が前記開口予定部を挟んで対向配置されるとともに、
前記隘路部が前記収容部の対向方向で非対向である
請求項１または請求項２に記載の折り曲げ開封包装体。
【請求項５】
前記収容部と前記導出部が互いに重なり合うシート材で構成されるとともに、
少なくとも一方の前記シート材が変形可能な柔軟性を有しており、
前記シート材における前記導出部を構成する部分は平坦であるとともに、前記導出部が前記シート材同士を貼り合わせないで浮かせた非貼り合わせ部で形成された
請求項１から請求項４に記載の折り曲げ開封包装体。
【請求項６】
前記収容部が、前記開口予定部を開く折り曲げによって圧縮される部位に形成された
請求項１から請求項５のうちいずれか一項に記載の折り曲げ開封包装体。
【発明の詳細な説明】
【技術分野】
【０００１】
この発明は、例えば指先でつまんで折り曲げることで開く開口予定部を有し、収容部に収容された内容物を開いた開口予定部から押し出す折り曲げ開封包装体に関する。
【背景技術】
【０００２】
折り曲げ開封包装体は、たとえば調味料や飲料などの食品や、化粧品、医薬品などの個別包装に好適に使用されている。
【０００３】
折り曲げ開封包装体は、貫通形成された開口予定部を塞いでいる閉鎖シートを折り曲げによって破ってその開口予定部を開いたり、折り曲げで破断可能な非貫通の開口予定部を折り曲げによって開いたりして、内容物を押し出し可能にするものである。このような折り曲げ包装体には、内容物を収容する収容部が開口予定部を開く折り曲げ動作によって圧縮される部位に形成されており、開口予定部を開く折り曲げ動作と内容物を押し出す押し出し動作が一連に行われる構成のものがある。このほかに、収容部が開口予定部を開く折り曲げ動作によって圧縮される部位から外して形成されており、開口予定部を開く折り曲げ動作と内容物を押し出す押し出し動作が別である構成のものもある。
【０００４】
いずれの構成の場合でも内容物は押し出されるので、勢いよく押し出すと内容物が一挙に吐出されて、周囲に飛び散ることがある。特に、開口予定部を開く折り曲げ動作と内容物を押し出す押し出し動作が一連に行われる構成の折り曲げ開封包装体では、折り曲げを行って開口予定部を開くと同時に内容物が飛び出すので、内容物が飛び散るおそれが高い。
【０００５】
このため、下記特許文献１に開示の構成を案出した。この構成は、開口予定部に、開口予定部から押し出される内容物に接触して抵抗を付与する流動抵抗付与部を備えるというものである。流動抵抗付与部はフィルムで構成されている。
【０００６】
この構成では、別体の流動抵抗付与部を備える必要があるので、必要な部品点数が増すことになる。
【先行技術文献】
【特許文献】
【０００７】
【特許文献１】特許第５８０２７６９号公報
【発明の概要】
【発明が解決しようとする課題】
【０００８】
この発明は、内容物が飛び散ることを簡素な構成で防止できるようにすることを主な目的とする。
【課題を解決するための手段】
【０００９】
そのための手段は、折り曲げによって開く開口予定部を有し、収容部に収容された内容物を前記開口予定部から押し出す折り曲げ開封包装体であって、前記収容部と前記開口予定部の間に、前記内容物を前記開口予定部に向けて導く導出部が形成され、前記導出部の始端側部位に、前記収容部よりも幅狭の隘路部が形成され、前記導出部の終端側部位に、前記隘路部よりも幅広で前記開口予定部に対向する開口室が形成された折り曲げ開封包装体である。
【００１０】
ここで、「幅狭」または「幅広」とは、導出部において内容物が流動する際における内容物が導かれる方向に直交する平面視での長さの長短（広狭）と、直交する方向での断面積の大小をいう。この概念は、隘路部や開口室が偏平な場合には、主にその長さと、内容物が流れる際の断面積で認識され、立体的な場合には、主にその断面積で認識される。
【００１１】
この構成では、押されることで収容部から導出部に出ようとする内容物が、隘路によって一旦絞られてから開口室に出る。この際に内容物にかかる圧力が解放され、このあとで、内容物は開かれた開口予定部から出される。
【発明の効果】
【００１２】
この発明によれば、収容部と開口予定部の間に導出部を備えて、押し出される内容物にかかる圧力を緩和するので、内容物が飛び散ることを防止できる。そのうえ、導出部は収容部と同様に構成できるので、別体の部材を不要にすることができ、また簡素な構成とすることもできる。
【図面の簡単な説明】
【００１３】
【図１】折り曲げ包装体の斜視図。
【図２】折り曲げ包装体の分解斜視図。
【図３】図１のＡ−Ａ断面図とＢ-Ｂ断面図。
【図４】開口予定部の形状の他の例を示す平面図。
【図５】容器シートにおける貼り合わせ部を示す平面図。
【図６】折り曲げ包装体の平面図と正面図。
【図７】作用状態を示す正面図。
【図８】作用状態を示す正面図と側面図。
【図９】他の例に係る折り曲げ包装体の平面図と正面図。
【図１０】他の例に係る折り曲げ包装体の平面図。
【図１１】他の例に係る折り曲げ包装体の平面図。
【図１２】図１１の容器シートと蓋シートの平面図。
【図１３】他の例に係る折り曲げ包装体の平面図。
【図１４】他の例に係る折り曲げ包装体の平面図。
【図１５】図１４のＣ−Ｃ断面図。
【図１６】他の例に係る折り曲げ包装体の平面図。
【発明を実施するための形態】
【００１４】
この発明を実施するための一形態を、以下図面を用いて説明する。
【００１５】
図１に、折り曲げ開封包装体１１（以下、「包装体」という）の斜視図を示す。この包装体１１は、上下反転して指先でつまんで側面視Ｖ字状に折り曲げることで開封して、内容物Ｘを押し出すものである。この例では、折り曲げられると完全に重なり合う中間位置で２つ折りして押し出す構成を示すが、その他の折り曲げ形態であってもよい。また内容物Ｘには、液状やペースト状のほかに、粉体や粒体などの固状、さらにはそれらの混合状態のものがある。
【００１６】
包装体１１は、分解斜視図である図２に示したように、内容物Ｘを収容する容体としての容器シート１３と、容器シート１３を閉じる蓋体としての蓋シート１５を有しており、容器シート１３には内容物Ｘを収容する収容部３１が形成され、蓋シート１５には折り曲げによって開く開口予定部５１が形成されている。収容部３１は開口予定部５１を開く折り曲げによって圧縮される部位に形成されている。収容部３１に収容されている内容物Ｘは、折り曲げによって開いた開口予定部５１の開口から押し出される。この構成では、容器シート１３と蓋シート１５がこの発明のシート材に対応する構成である。
【００１７】
包装体１１の基本的な構成はつぎのとおりである。
【００１８】
容器シート１３は、変形可能で柔軟性を有する合成樹脂製のシート材で形成されており、内容物Ｘを収容する前述の収容部３１が凹状に形成されている。蓋シート１５は、容器シート１３における収容部３１の開口した上面を閉塞するものであり、合成樹脂からなる折り曲げ可能な板状である。この蓋シート１５の折り曲げ位置Ｐに、折り曲げ時に開口して収容部３１内の内容物Ｘを押し出す開口予定部５１が形成されている。つまり包装体１１は、折り曲げることで開く開口予定部５１を有した板状の蓋シート１５の下面に、容器シート１３の上端部を貼り合わせて一体化した構成である。
【００１９】
開口予定部５１は、蓋シート１５の厚さ方向に予め貫通形成されており、折り曲げ動作で破れる封止シート１７で閉じられている。このほか、折り曲げ動作で剥がれる封止シートで閉じたものや、折り曲げで破断可能な非貫通状態であり、折り曲げた際に破断して貫通状態となって開口するハーフカット構造もの（図示せず）であってもよい。
【００２０】
各部について具体的に説明すると、容器シート１３の形状は、平面視長方形状であり、上面の全周に、平面視長方形枠状をなす適宜幅の上端鍔部３２を有している。上端鍔部３２より内側に、前述の収容部３１が形成されている。
【００２１】
収容部３１は、折り曲げ方向である長辺方向の中間位置、つまり前述の折り曲げ位置Ｐに対応する位置を対称軸とする対称形状であり、長辺方向の両側に全体として直方体状に凹んだ収容部３１を有している。一対の収容部３１は、適宜の間隔をあけて離間配置されている。２個の収容部３１には、同一の内容物Ｘが収容されても、別の内容物Ｘが収容されてもよく、各収容部３１は必要な量の内容物Ｘを収容可能な大きさである。
【００２２】
容器シート１３における蓋シート１５の開口予定部５１とその周囲に対応する部分、つまり一対の収容部３１の間の中間部３３は、収容部３１のような凹みのない平坦な形状である。
【００２３】
容器シート１３を構成するシート材には、柔軟でありながら強度を有しており、ガスバリア性に優れて深絞り成形性のよい適宜の合成樹脂製フィルムが使用される。このようなフィルムとしては、例えば三菱ケミカル株式会社製の「ダイアミロン」（登録商標）がある。フィルムの厚さは１００μｍ程度あるとよい。
【００２４】
蓋シート１５は、容器シート１３の上端部の外周縁と一致する大きさの平面視長方形状である。この蓋シート１５は、柔軟な容器シート１３と内容物Ｘを支えるとともに、折り曲げた際に内容物Ｘの入った容器シート１３を挟み込み、折り曲げ位置Ｐにおける折り曲げを可能とするものであって、適宜の硬さを有している。蓋シート１５は、容器シート１３の収容部３１に内容物Ｘを入れた後に、容器シート１３の上端部に対して溶着等で結合一体化される。
【００２５】
この蓋シート１５は、その拡大断面図である図３に示したように積層構造である。具体的には、硬質シート１５ａの表裏両面にシール材１５ｂを積層一体化した構成である。硬質シート１５ａには、たとえば厚さ０．３ｍｍ程度のアモルファスポリエチレンテレフタレートを使用できる。シール材１５ｂには、厚さ１５μｍ程度のポリエチレン製のフィルムが使用可能である。これらの積層一体化は、ドライラミネート加工で行える。
【００２６】
蓋シート１５の折り曲げ位置Ｐは、図１に示したように、長辺方向の中間位置における短辺方向と平行な線上である。この折り曲げ位置Ｐの長手方向（包装体１１の短辺方向）の中間位置には、前述の開口予定部５１が形成され、この開口予定部５１を短辺方向で挟む両側には、折り曲げのための補助となる折り曲げ罫線５３が形成されている。
【００２７】
図３における（ａ）の図は、図１のＡ−Ａ位置、つまり開口予定部５１位置で切断した蓋シート１５の断面図であり、図３における（ｂ）の図は、図１のＢ−Ｂ位置、つまり折り曲げ罫線５３位置で切断した蓋シート１５の断面図である。これらの図に示すように、開口予定部５１は、蓋シート１５の厚み方向に貫通する切り込みであり、折り曲げ罫線５３は厚み方向に非貫通で上面（表面）側から形成された切り込みである。
【００２８】
開口予定部５１の形状や大きさは内容物Ｘの種類や性状、折り曲げ態様などに応じて適宜設計される。この例の開口予定部５１は、折り曲げ位置Ｐの長手方向に延びる波線形状に形成されている。つまり平面視半円弧状の切り込みが交互に連続した形状の開口予定部５１である。
【００２９】
図４の（ａ）〜（ｆ）に開口予定部５１の形状についての他の例を示す。図４は、封止シート１７なしの包装体１１の平面図である。この図においては、折り曲げ罫線５３の図示は、便宜上省略している。
【００３０】
（ａ）の開口予定部５１は、折り曲げ位置Ｐの長手方向に延びる直線形状に形成されている。（ｂ）の開口予定部５１は、折り曲げ位置Ｐの長手方向と直交する短辺方向に膨らむ円弧線形状に形成されている。この形状の開口予定部５１では、封止シート１７の破断が円滑に行えるとともに、より大きな開口が得られる。（ｃ）の開口予定部５１は、折り曲げ位置Ｐの長手方向に延びる直線形状の本体部５１ａと、この本体部５１ａの両端に形成されて、折り曲げ位置Ｐの長手方向に直角の方向にのびる端部切り込み５１ｂを有する形状である。この形状の開口予定部５１でも、より大きな開口が得られる。（ｄ）の開口予定部５１は、図１、図２に示した前述のような波線形状の本体部５１ａの両端に、折り曲げ位置Ｐの長手方向に対して斜めに延びる端部切り込み５１ｂを有した形状である。（ｅ）の開口予定部５１は、折り曲げ位置Ｐの長手方向に延びる直線形状の本体部５１ａの両端に、折り曲げ位置Ｐの長手方向に対して斜めに延びる端部切り込み５１ｂを有した形状である。（ｆ）の開口予定部５１は、折り曲げ位置Ｐの長手方向に延びる直線形状の本体部５１ａの両端の端部切り込み５１ｂに加えて、それより内側に寄った位置にも、折り曲げ位置Ｐの長手方向に直角の方向にのびる内部切り込み５１ｃを有した形状である。内部切り込み５１ｃは端部切り込み５１ｂよりも長く形成されている。
【００３１】
これらの例のように開口予定部５１の形状は適宜設計できる。
【００３２】
蓋シート１５における開口予定部５１を有する領域の表面は、前述の封止シート１７で覆われる。封止シート１７は、貫通している開口予定部５１を閉じて容器シート１３内を気密状態に保つとともに、開口予定部５１が開くときに破れる性質のシート材で構成される。これには、例えばアルミニウム箔などの金属箔を使用できる。具体的には、封止シート１７は、厚さ１１μｍ程度のアルミニウム箔に、ヒートシール可能なアクリル・コポリマーをコーティングして構成するとよい。封止シート１７は蓋シート１５に対して溶着により積層一体化される。
【００３３】
前述のような容器シート１３と蓋シート１５で構成される包装体１１は、容器シート１３の収容部３１と蓋シート１５の開口予定部５１の間に、収容部３１内の内容物Ｘを開口予定部５１に向けて導く導出部４１を有している。導出部４１の始端側部位、つまり収容部３１側の部位には、収容部３１よりも幅狭の隘路部４２が形成されており、導出部４１の終端側部位には、隘路部４２よりも幅広で開口予定部５１に対向する開口室部４３が形成されている。開口室部４３は、包装体１１の上下方向・厚み方向で開口予定部５１に対向している。
【００３４】
具体的には、前述のように収容部３１を、開口予定部５１を挟んで対向配置しており、２個備えているので、これらの間に形成される開口室部４３は、２個の収容部３１に共通のものである。つまり、２個の収容部３１に別々に収容された内容物Ｘは開口室部４３で合流する。開口室部４３の大きさ・容積は、収容部３１の容積や、内容物Ｘの性状や量、開口予定部５１の形状等の条件に応じて適宜設定されるが、大きめに形成するほうが好ましい。
【００３５】
開口室部４３は平面視方形状に形成されており、収容部３１のように深絞り成形した立体形状ではなく、平面的な偏平形状である。
【００３６】
隘路部４２は、２個の収容部３１の一部から開口室部４３の一部に向けて、それぞれ１個ずつ形成される。隘路部４２は、収容部３１と開口室部４３にとって狭い通路、すなわち隘路であって、適宜の大きさ（幅）に形成される。隘路部４２の長さも適宜設定できる。この隘路部４２も、開口室部４３と同様で、収容部３１のように深絞り成形した立体形状ではなく、平面的な偏平形状である。
【００３７】
このような形状の導出部４１の形成は、蓋シート１５を容器シート１３の上端部に貼り合わせて一体化する際の、一体化の範囲の設定で行われる。
【００３８】
図５は、容器シート１３の平面図であり、前述の一体化を行う範囲（以下、「貼り合わせ部４５」という）を示している。貼り合わせ部４５は、図５中の点を施した部分であり、上端鍔部３２の全部と、一対の収容部３１の間の中間部３３における中央部分を除く部分である。
【００３９】
平坦な中間部３３の中央部分が導出部４１を形成する部分であって、シート材同士、つまり容器シート１３と蓋シート１５を貼り合わせないで浮かせた非貼り合わせ部４６である。
【００４０】
非貼り合わせ部４６は、平面視方形状をなし開口室部４３を形成する１個の開口室形成部３５と、開口室形成部３５から収容部３１側に延びて隘路部４２を形成する２個の隘路形成部３６を有している。開口室形成部３５は、蓋シート１５の開口予定部５１に対応する部分を囲む大きさであって、収容部３１の対向方向における収容部３１間の大きさよりも小さい。隘路形成部３６は、開口室形成部３５における収容部３１の対向方向と直交する短辺方向の長さよりもの短く狭い。また２個の隘路形成部３６は収容部３１の対向方向で対向している。より具体的には隘路形成部３６は、収容部３１と開口室形成部３５における収容部３１の対向方向と直交する短辺方向の中間位置に形成されている。
【００４１】
なお、開口室形成部３５と隘路形成部３６は、収容部３１のように凹状に形成してもよい。
【００４２】
前述の貼り合わせ部４５と非貼り合わせ部４６を有する一体化を行うことで、導出部４１は形成される。図６に、包装体１１の平面図（図６（ａ））と正面図（図６（ｂ））を示す。
【００４３】
図６（ｂ）に見られるように、導出部４１は偏平な形状である。また、導出部４１と開口予定部５１の大きさの関係は、図６（ａ）に寸法線で示したように設定されている。すなわち、収容部３１が最も幅広であり、以下、開口室部４３、開口予定部５１、隘路部４２の順に幅狭となる。図６中、Ｗ１は収容部３１の幅、Ｗ２は開口室部４３の幅、Ｗ３は開口予定部５１の幅、Ｗ４は隘路部４２の幅である。
【００４４】
なお、図示例の形状の場合には、収容部３１と隘路部４２と開口室部４３は、収容部３１の対向方向、つまり内容物Ｘが導出部４１を通る方向での幅の変化がないか、もしくはごく少ない形状であるが、前述した各部の「幅」とは、最小位置での幅の意味である。
【００４５】
また、各部の大きさの違いを表現するのに、前述のように「幅広」又は「幅狭」と、短辺方向の長さ、つまり導出部４１において内容物Ｘが導かれる方向に直交する方向のうち容器シート１３の上端面の面方向での長さで表現したが、各部の大きさは、平面視での単なる長さと、内容物Ｘが流れる際の断面積の双方の観点から認識されるものである。
【００４６】
収容部３１は平面視で最も幅広である上に立体的な形状であるので、他の部位と比較して格段に幅広である。
【００４７】
開口室部４３と隘路部４２は共に立体的ではなく平面的、つまり偏平な形状であり、開口室部４３は隘路部４２よりも平面視で幅広であるので、内容物Ｘが流れる際の断面積の点でも幅広となる。
【００４８】
開口予定部５１は開口室部４３よりも平面視において幅狭であるので、一義的には開口室部４３よりも幅狭であるが、開口室部４３は偏平な形状である一方、開口予定部５１は前述のように開口を大きくすることもできるので、開口予定部５１は開口室部４３よりも幅広となることもある。
【００４９】
また開口予定部５１は、隘路部４２と比べると、隘路部４２よりも平面視において幅広であり、開口予定部５１は開くものの、その開き方は実質的には偏平な隘路部４２が膨らむのと同様であるので、開口予定部５１は隘路部４２よりも幅広である。
【００５０】
隘路部４２と開口室部４３と開口予定部５１の大きさの相違、つまり「幅広」又は「幅狭」の程度は適宜設定される。例えば、隘路部４２は開口室部４３の１０％から９０％程度の大きさにすることができる。同様に、隘路部４２は開口予定部５１の５％から９０％程度の大きさにすることができる。
【００５１】
以上のように構成された包装体１１では、収容部３１に収容された内容物Ｘを次のように排出する。
【００５２】
まず、手に持った包装体１１を、図７の（ａ）に示したように、上下反転して蓋シート１５を下にし、開口予定部５１、換言すれば封止シート１７の中心を押し出し方向に向ける。そのまま、指先で蓋シート１５における長手方向の端縁部や、それよりも折り曲げ位置Ｐ寄りの部分をつまんで、内容物Ｘの入った容器シート１３をつぶすように蓋シート１５を二つ折りにする（図７の（ｂ）参照）。
【００５３】
すると、蓋シート１５に挟まれて圧縮されることによって、容器シート１３の内部の圧力が高まるとともに、蓋シート１５の折り曲げ位置Ｐが変形する。この変形に追従しない封止シート１７は破断して、蓋シート１５の開口予定部５１が開いて内容物Ｘが押し出される。
【００５４】
内容物Ｘの排出に先立って、収容部３１の内容物Ｘは、図７の（ｂ）に示したように、導出部４１の隘路部４２に入ってから開口室部４３に流れ込む。導出部４１は偏平な形状であるので、通常は内容物Ｘの進入が抑制されているが、蓋シート１５を折り曲げると、開口室部４３は折り曲げの内側に位置するので弛んで、内容物Ｘの流入によって膨らむ。このあと、開口室部４３の内容物Ｘは、折り曲げによって開いた開口予定部５１の開口から後続の内容物Ｘに押されるようにして押し出される。
【００５５】
このよう過程を経て押し出される内容物Ｘは、図８の（ａ）に矢印で示したように、導出部４１を通る過程で圧力の変化を受ける。すなわち、広い収容部３１から隘路部４２に入る際に内容物Ｘには圧力がかかり、流動が抑制される。つづいて隘路部４２から開口室部４３に流入するときには内容物Ｘが解放され、圧力が緩和される。先に開口室部４３に入った内容物Ｘは、後続の内容物Ｘの勢いをそぐ。このあと内容物Ｘは、圧力が解かれた状態で、開口予定部５１に開いた開口を通って排出される。
【００５６】
このため、内容物Ｘは勢いよく一挙に押し出されることはなく、勢いがよすぎて内容物Ｘが周囲に飛び散ることを防止できる。
【００５７】
包装体１１の収容部３１は、開口予定部５１を開く折り曲げによって圧縮される部位に形成されており、開口予定部５１を開く動作と内容物Ｘを押し出す動作が一連に行われるものであるが、前述のように内容物Ｘが飛び散ることを防止できるので極めて有益である。
【００５８】
開口室部４３は折り曲げた際に内側になる位置に形成されているので、たるみやすい。このため、内容物Ｘの流入によって膨らみ、折り曲げ前は偏平な形態であっても、圧力の緩和が極めて良好に行える。
【００５９】
しかも、そのための導出部４１の形成には、別部材が不要である。そのうえ、導出部４１は貼り合わせ部４５と非貼り合わせ部４６を有する一体化で構成できるので、構成が簡素なうえに製造も容易である。
【００６０】
また、収容部３１は開口予定部５１を挟んで対向配置されており、隘路部４２が収容部３１の対向方向で対向しているので、２個の隘路部４２を通って開口室部４３に流れ込む内容物Ｘが、開口室部４３に入ってすぐに合流するので、内容物Ｘが良好に混ざり合う。
【００６１】
さらに、導出部４１が非貼り合わせ部４６で形成されており偏平な形態であるので、内容物Ｘの押し出し前の状態において、導出部４１に内容物Ｘが進入することを抑制できので、開口予定部５１に内容物Ｘが触れる機会を少なくできる。
【００６２】
以下、その他の例について説明する。この説明において、前述の構成と同一の構成については同一の符号を付してその詳しい説明を省略する。
【００６３】
図９は、他の例に係る包装体１１の平面図と正面図であり、この包装体１１は全体して偏平な板状である。つまり、平面図である図９の（ａ）に示したように平面視長方形である。
【００６４】
基本的な構成は図１の包装体１１と同じであるが、この例では主に、容器シート１３が立体的に成形されていない点で図１の包装体１１とは相違する。容器シート１３は、蓋シート１５と同様に平面視長方形状である。
【００６５】
開口予定部５１は図１の包装体１１と同様に、中央位置に形成されており、包装体１１の長手方向の中間が折り曲げ位置Ｐであって、収容部３１は、開口予定部５１を包装体１１の長手方向に挟んで対向配置されている。折り曲げ位置Ｐは短辺方向に延びている。
【００６６】
包装体１１は、開口予定部５１に対向する部位に、開口予定部５１を収める大きさの開口室部４３を有し、この開口室部４３は平面視円形である。開口室部４３には、収容部３１に連通する隘路部４２が包装体１１の長手方向に沿って形成されている。一対の隘路部４２は相対向している。隘路部４２の最も幅狭の部分はごく短く、開口室部４３が隘路部４２から徐々に大きく広がる形状に形成されることになる。
【００６７】
つまり、収容部３１と導出部４１を形成する貼り合わせ部４５及び非貼り合わせ部４６は、次のような態様で形成されている。貼り合わせ部４５は、容器シート１３及び蓋シート１５の全周と、折り曲げ位置Ｐに対応する部位のうち、開口室部４３を除く位置と、開口室部４３を取り囲む円を描く部位のうち隘路部４２を除く位置である。
【００６８】
この例においても、収容部３１と、開口室部４３と、開口予定部５１と、隘路部４２の大きさは、この順で小さくなるように形成されている。このように全体が偏平な形態の包装体１１では、各部の大きさの違いは、主に導出部４１において内容物Ｘが導かれる方向に直交する平面視での長さで認識される。
【００６９】
このような構成の包装体１１においては、収容される内容物Ｘの量が図１の包装体１１よりも少ないだけで、前述と同様の作用を有し、効果を奏する。
【００７０】
図１０は、他の例に係る包装体１１の平面図であり、この包装体１１は、図９の包装体１１と同様に板状であっても、図１の包装体１１と同様に立体的な形状であってもいずれでもよい。
【００７１】
包装体１１の収容部３１が開口予定部５１を挟んで対向配置されている点や折り曲げ位置Ｐが短辺方向に延びている点などは、前述の包装体１１の場合と同様であるが、収容部３１は平面視円形に形成され、一対の収容部３１を連通させる導出部４１は平面視略ひし形に形成されている。
【００７２】
この例おいても、収容部３１と、開口室部４３と、開口予定部５１と、隘路部４２の大きさは、この順で小さくなるように形成されている。
【００７３】
このような構成の包装体１１は、前述と同様の作用を有し、効果を奏する。
【００７４】
効果についてはそのほか特に、収容部３１が平面視円形であるので、内容物Ｘを一回の折り曲げ動作でより完全に排出することができる利点がある。
【００７５】
図１１は、他の例に係る包装体１１の平面図であり、この包装体１１は、開口予定部５１を短辺方向（折り曲げ位置Ｐの長手方向）の一方に偏らせた例を示している。この包装体１１も板状であっても、立体的な形状であってもよい。
【００７６】
収容部３１は開口予定部５１を挟んで対向配置されており、折り曲げ位置Ｐは包装体１１の長手方向の中間位置において短辺方向に延びている。
【００７７】
開口予定部５１は、折り曲げ位置Ｐの長手方向の一方に形成されており、このため、開口室部４３は短辺方向の一方に寄せて形成されている。隘路部４２は、外周縁に形成される貼り合わせ部４５に沿って、収容部３１の対向方向で対向している。
【００７８】
図１２に、容器シート１３と蓋シート１５の分離状態の平面図を示しており、この図に示したように、容器シート１３における折り曲げ位置Ｐに対応する部分の長手方向の他方には、非貼り合わせ部４６ａが形成されている。この非貼り合わせ部４６ａは、蓋シート１５に形成される折り曲げ罫線５３が、貼り合わせ部４５の形成に伴う溶融によって本来の機能を減殺してしまうことを回避するためのものである。
【００７９】
このような構成の包装体１１は、前述と同様の作用を有し、効果を奏する。
【００８０】
効果についてはそのほか特に、開口予定部５１が短辺方向の一方の端に位置しているので、内容物Ｘを押し出した際に、蓋シート１５の表面に付着する内容物Ｘの量を低減することができる。
【００８１】
図１３は、他の例に係る包装体１１の平面図であり、この包装体１１は、開口予定部５１を短辺方向（折り曲げ位置Ｐの長手方向）の中央に形成しつつも、隘路部４２を短辺方向の一方に偏らせた例を示している。この包装体１１も板状であっても、立体的な形状であってもよい。
【００８２】
収容部３１は開口予定部５１を挟んで対向配置されており、折り曲げ位置Ｐは包装体１１の長手方向の中間位置において短辺方向に延びている。
【００８３】
開口予定部５１は、折り曲げ位置Ｐの長手方向の中間位置に形成され、開口室部４３は、開口予定部５１を包含する大きさの長方形状に形成されている。開口室部４３の大きさについて具体的に言えば、収容部３１の幅と同じ幅に設定されている。そして隘路部４２は、開口室部４３の短辺方向における端に形成されている。
【００８４】
図１３の（ａ）は、隘路部４２を収容部３１の対向方向で対向させた例であり、（ｂ）は対向方向で非対向とした例である。具体的には、図１３の（ｂ）の２個の隘路部４２は、開口室部４３の短辺方向の一方の端と、他方の端に向けて形成されている。
【００８５】
このような構成の包装体１１では、隘路部４２が開口予定部５１から離れているので、隘路部４２を通って開口室部４３に入った内容物Ｘが開口室部４３で十分に混ざってから開口予定部５１より排出される。
【００８６】
図１４は、他の例に係る包装体１１の平面図であり、この包装体１１は、１個の収容部３１と１個の導出部４１を有する構造である。この包装体１１の収容部３１は板状であっても、立体的な形状であってもよく、収容部３１がシート材で偏平な袋状に形成された包装体１１にも適用できる。
【００８７】
図１４は、収容部３１が偏平な袋状である例であり、包装体１１の全体が柔軟なシート材からなる平坦な２枚の容器シート１３を互いに貼り合わせて構成されている。つまり、容器シート１３がこの発明のシート材に対応する構成であって、収容部３１と導出部４１における内容物Ｘが接する部分は容器シート１３で構成されている。
【００８８】
包装体１１は一方側の大半の部分に収容部３１を有し、他方側の端に導出部４１を有している。収容部３１は、長方形の他方側を絞って徐々に幅狭となる形状に形成されており、導出部４１は、収容部３１における幅狭となった一方の端に連設されている。導出部４１は平面視方形である。
【００８９】
図１４のＣ−Ｃ断面図を、図１５に示している。この図に示すように、導出部４１の片面に、導出部４１に略等しい大きさの蓋シート１５を備えている。蓋シート１５は片面の全体が容器シート１３に貼り付けられている。
【００９０】
蓋シート１５には、蓋シート１５を短辺方向に二つ折りする折り曲げ位置Ｐを有しており、折り曲げ位置Ｐの長手方向の中間部に開口予定部５１が形成されている。容器シート１３における蓋シート１５の開口予定部５１に対応する部位には、折り曲げによって開く同様の開口予定部３７が形成されている。
【００９１】
このような構成の包装体１１は、収容部３１が、開口予定部３７，５１を開く折り曲げによって圧縮される部位以外の部位に形成されている。
【００９２】
内容物Ｘの排出に際しては、まず蓋シート１５を二つ折りして開口予定部５１，３７を開き、その上で収容部３１を押して内容物Ｘを押し出す。内容物Ｘが流体の場合には、導出部４１を下に向けるだけで、内容物Ｘを押し出す動作をするまでもなく内容物Ｘが滴下することもある。
【００９３】
図１６は、他の例に係る包装体１１の平面図であり、この包装体１１も、収容部３１が偏平な袋状である例である。包装体１１は全体が平面視方形状であり、その一つの角部に、導出部４１が形成されている。導出部４１は三角形状である。導出部４１を形成するための貼り合わせ部４５は、包装体１１の縦横方向に対して斜めに延びる線状に形成されている。
【００９４】
このような構成の包装体１１においては、図１４、図１５の包装体１１と同様の作用を有し、効果を奏する。
【００９５】
以上はこの発明を実施するための一形態の構成であって、この発明は前述の構成のみに限定されるものではなく、その他の構成を採用することもできる。
【００９６】
例えば折り曲げ方は前述のような二つ折りのほかに、適宜の折り方を採用でき、折り曲げ位置Ｐにおいてきれいに折り曲げられる折り方の場合には、折り曲げ罫線５３を省略することもできる。
【符号の説明】
【００９７】
１１…折り曲げ開封包装体
１３…容器シート
１５…蓋シート
３１…収容部
３７，５１…開口予定部
４１…導出部
４２…隘路部
４３…開口室部
４６…非貼り合わせ部
Ｘ…内容物
【図１】
2019199282.tif 000003
【図２】
2019199282.tif 000004
【図３】
2019199282.tif 000005
【図４】
2019199282.tif 000006
【図５】
2019199282.tif 000007
【図６】
2019199282.tif 000008
【図７】
2019199282.tif 000009
【図８】
2019199282.tif 000010
【図９】
2019199282.tif 000011
【図１０】
2019199282.tif 000012
【図１１】
2019199282.tif 000013
【図１２】
2019199282.tif 000014
【図１３】
2019199282.tif 000015
【図１４】
2019199282.tif 000016
【図１５】
2019199282.tif 000017
【図１６】
2019199282.tif 000018